(57)【要約】【課題】個人向けのコンテンツを表示する。【解決手段】携帯電話１は、個人の属性を示す個人属性情報を表示端末２へ送信する。表示端末２は、携帯電話２から受信した個人属性情報をサイネージサーバ４へ送信する。サイネージサーバ４は、表示端末から受信した個人属性情報に基づいて、自身が記憶するコンテンツの中からいずれかを選択し、表示端末２へ送信する。表示端末２は、サイネージサーバ４からコンテンツを受信し、表示する。【選択図】図１
2011053767.tif 000002
【特許請求の範囲】
【請求項１】
携帯端末と表示端末とコンテンツサーバとを備えたコンテンツ表示システムであって、
前記携帯端末は、
個人の属性を示す個人属性情報を記憶する個人属性情報記憶部と、
前記表示端末へ前記個人属性情報を送信する第１の個人属性情報送信部と、を有し、
前記表示端末は、
前記携帯端末から前記個人属性情報を受信する第１の個人属性情報受信部と、
前記携帯端末から受信した前記個人属性情報を前記コンテンツサーバへ送信する第２の個人属性情報送信部と、
前記コンテンツサーバからコンテンツを受信するコンテンツ受信部と、
前記コンテンツサーバから受信した前記コンテンツを表示する表示部と、を有し、
前記コンテンツサーバは、
前記コンテンツを記憶するコンテンツ記憶部と、
前記表示端末から前記個人属性情報を受信する第２の個人属性情報受信部と、
前記表示端末から受信した前記個人属性情報に基づいて、前記コンテンツ記憶部に記憶されている前記コンテンツの中からいずれかを選択する選択部と、
前記選択部が選択した前記コンテンツを前記表示端末へ送信するコンテンツ送信部と、
を有することを特徴とするコンテンツ表示システム。
【請求項２】
携帯端末と表示端末とサーバとコンテンツサーバとを備えたコンテンツ表示システムであって、
前記携帯端末は、
個人の属性を示す個人属性情報を記憶する個人属性情報記憶部と、
前記表示端末へ前記個人属性情報を送信する第１の個人属性情報送信部と、
認証を受けるための第１の認証情報を記憶する第１の認証情報記憶部と、
前記第１の認証情報を前記サーバへ送信する認証情報送信部と、を有し、
前記表示端末は、
前記携帯端末から前記個人属性情報を受信する第１の個人属性情報受信部と、
前記携帯端末から受信した前記個人属性情報を前記サーバへ送信する第２の個人属性情報送信部と、
前記サーバからコンテンツを受信するコンテンツ受信部と、
前記サーバから受信した前記コンテンツを表示する表示部と、を有し、
前記サーバは、
第２の認証情報を記憶する第２の認証情報記憶部と、
前記携帯端末の利用履歴を記憶する利用履歴記憶部と、
前記携帯端末から前記第１の認証情報を受信する認証情報受信部と、
前記携帯端末から受信した前記第１の認証情報と前記第２の認証情報記憶部に記憶されている前記第２の認証情報とを比較することによって認証を行う認証部と、
前記認証の結果、前記利用履歴の利用が許可された場合に、前記利用履歴に対応するコンテンツを指定する指定情報を生成する指定情報生成部と、
前記指定情報を前記コンテンツサーバへ送信する情報送信部と、を有し、
前記コンテンツサーバは、
前記コンテンツを記憶するコンテンツ記憶部と、
前記表示端末から前記個人属性情報を受信する第２の個人属性情報受信部と、
前記サーバから前記指定情報を受信する情報受信部と、
前記表示端末から受信した前記個人属性情報と前記サーバから受信した前記指定情報とに基づいて、前記コンテンツ記憶部に記憶されている前記コンテンツの中からいずれかを選択する選択部と、
前記選択部が選択した前記コンテンツを前記表示端末へ送信するコンテンツ送信部と、
を有することを特徴とするコンテンツ表示システム。
【請求項３】
携帯端末と表示端末とコンテンツサーバとを備えたコンテンツ表示システムであって、
前記携帯端末は、
個人の属性を示す個人属性情報を記憶する個人属性情報記憶部と、
他の前記携帯端末との間で前記個人属性情報を送受信する端末間通信部と、
前記個人属性情報記憶部に記憶されている前記個人属性情報と前記端末間通信部が他の前記携帯端末から受信した前記個人属性情報とを集約した集約属性情報を生成する情報生成部と、
前記表示端末へ前記集約属性情報を送信する第１の集約属性情報送信部と、を有し、
前記表示端末は、
前記携帯端末から前記集約属性情報を受信する第１の集約属性情報受信部と、
前記携帯端末から受信した前記集約属性情報を前記コンテンツサーバへ送信する第２の集約属性情報送信部と、
前記コンテンツサーバからコンテンツを受信するコンテンツ受信部と、
前記コンテンツサーバから受信した前記コンテンツを表示する表示部と、を有し、
前記コンテンツサーバは、
前記コンテンツを記憶するコンテンツ記憶部と、
前記表示端末から前記集約属性情報を受信する第２の集約属性情報受信部と、
前記表示端末から受信した前記集約属性情報に基づいて、前記コンテンツ記憶部に記憶されている前記コンテンツの中からいずれかを選択する選択部と、
前記選択部が選択した前記コンテンツを前記表示端末へ送信するコンテンツ送信部と、
を有することを特徴とするコンテンツ表示システム。
【請求項４】
携帯端末と表示端末とサーバとコンテンツサーバとを備えたコンテンツ表示システムであって、
前記携帯端末は、
個人の属性を示す個人属性情報を記憶する個人属性情報記憶部と、
他の前記携帯端末との間で前記個人属性情報を送受信する端末間通信部と、
前記個人属性情報記憶部に記憶されている前記個人属性情報と前記端末間通信部が他の前記携帯端末から受信した前記個人属性情報とを集約した集約属性情報を生成する情報生成部と、
前記表示端末へ前記集約属性情報を送信する第１の集約属性情報送信部と、
認証を受けるための第１の認証情報を記憶する第１の認証情報記憶部と、
前記第１の認証情報を前記サーバへ送信する認証情報送信部と、を有し、
前記表示端末は、
前記携帯端末から前記集約属性情報を受信する第１の集約属性情報受信部と、
前記携帯端末から受信した前記集約属性情報を前記コンテンツサーバへ送信する第２の集約属性情報送信部と、
前記コンテンツサーバからコンテンツを受信するコンテンツ受信部と、
前記コンテンツサーバから受信した前記コンテンツを表示する表示部と、を有し、
前記サーバは、
第２の認証情報を記憶する第２の認証情報記憶部と、
前記携帯端末の利用履歴を記憶する利用履歴記憶部と、
前記携帯端末から前記第１の認証情報を受信する認証情報受信部と、
前記携帯端末から受信した前記第１の認証情報と前記第２の認証情報記憶部に記憶されている前記第２の認証情報とを比較することによって認証を行う認証部と、
前記認証の結果、前記利用履歴の利用が許可された場合に、前記利用履歴に対応するコンテンツを指定する指定情報を生成する指定情報生成部と、
前記指定情報を前記コンテンツサーバへ送信する情報送信部と、を有し、
前記コンテンツサーバは、
前記コンテンツを記憶するコンテンツ記憶部と、
前記表示端末から前記集約属性情報を受信する第２の集約属性情報受信部と、
前記サーバから前記指定情報を受信する情報受信部と、
前記表示端末から受信した前記集約属性情報と前記サーバから受信した前記指定情報とに基づいて、前記コンテンツ記憶部に記憶されている前記コンテンツの中からいずれかを選択する選択部と、
前記選択部が選択した前記コンテンツを前記表示端末へ送信するコンテンツ送信部と、
を有することを特徴とするコンテンツ表示システム。
【請求項５】
携帯端末と表示端末とサーバとコンテンツサーバとを備えたコンテンツ表示システムであって、
前記携帯端末は、
個人の属性を示す個人属性情報を記憶する個人属性情報記憶部と、
他の前記携帯端末との間で前記個人属性情報を送受信する端末間通信部と、
前記個人属性情報記憶部に記憶されている前記個人属性情報と前記端末間通信部が他の前記携帯端末から受信した前記個人属性情報とを集約した集約属性情報を生成する情報生成部と、
認証を受けるための第１の認証情報を記憶する第１の認証情報記憶部と、
前記第１の認証情報を前記サーバへ送信する認証情報送信部と、
前記サーバへ前記集約属性情報を送信する集約属性情報送信部と、を有し、
前記表示端末は、
前記コンテンツサーバからコンテンツを受信するコンテンツ受信部と、
前記コンテンツサーバから受信した前記コンテンツを表示する表示部と、を有し、
前記サーバは、
第２の認証情報を記憶する第２の認証情報記憶部と、
前記携帯端末の利用履歴を記憶する利用履歴記憶部と、
前記携帯端末から前記第１の認証情報を受信する認証情報受信部と、
前記携帯端末から受信した前記第１の認証情報と前記第２の認証情報記憶部に記憶されている前記第２の認証情報とを比較することによって認証を行う認証部と、
前記携帯端末から前記集約属性情報を受信する集約属性情報受信部と、
前記認証の結果、前記利用履歴の利用が許可された場合に、前記利用履歴に対応するコンテンツを指定する指定情報を生成する指定情報生成部と、
前記指定情報および前記集約属性情報を前記コンテンツサーバへ送信する情報送信部と、を有し、
前記コンテンツサーバは、
前記コンテンツを記憶するコンテンツ記憶部と、
前記サーバから前記指定情報および前記集約属性情報を受信する情報受信部と、
前記サーバから受信した前記指定情報および前記集約属性情報に基づいて、前記コンテンツ記憶部に記憶されている前記コンテンツの中からいずれかを選択する選択部と、
前記選択部が選択した前記コンテンツを前記表示端末へ送信するコンテンツ送信部と、
を有することを特徴とするコンテンツ表示システム。
【請求項６】
携帯端末と表示端末とサーバとコンテンツサーバとを備えたコンテンツ表示システムであって、
前記携帯端末は、
個人の属性を示す個人属性情報を記憶する個人属性情報記憶部と、
他の前記携帯端末との間で前記個人属性情報を送受信する端末間通信部と、
前記個人属性情報記憶部に記憶されている前記個人属性情報と前記端末間通信部が他の前記携帯端末から受信した前記個人属性情報とを集約した集約属性情報を生成する情報生成部と、
認証を受けるための第１の認証情報を記憶する第１の認証情報記憶部と、
前記第１の認証情報を前記サーバへ送信する認証情報送信部と、
前記サーバへ前記集約属性情報を送信する集約属性情報送信部と、を有し、
前記表示端末は、
前記コンテンツサーバからコンテンツを受信するコンテンツ受信部と、
前記コンテンツサーバから受信した前記コンテンツを表示する表示部と、を有し、
前記サーバは、
第２の認証情報を記憶する第２の認証情報記憶部と、
前記携帯端末の利用履歴を記憶する利用履歴記憶部と、
前記携帯端末から前記第１の認証情報を受信する認証情報受信部と、
前記携帯端末から受信した前記第１の認証情報と前記第２の認証情報記憶部に記憶されている前記第２の認証情報とを比較することによって認証を行う認証部と、
前記携帯端末から前記集約属性情報を受信する集約属性情報受信部と、
前記認証の結果、前記利用履歴の利用が許可された場合に、前記利用履歴および前記集約属性情報に対応するコンテンツを指定する指定情報を生成する指定情報生成部と、
前記指定情報を前記コンテンツサーバへ送信する情報送信部と、を有し、
前記コンテンツサーバは、
前記コンテンツを記憶するコンテンツ記憶部と、
前記サーバから前記指定情報を受信する情報受信部と、
前記サーバから受信した前記指定情報に基づいて、前記コンテンツ記憶部に記憶されている前記コンテンツの中からいずれかを選択する選択部と、
前記選択部が選択した前記コンテンツを前記表示端末へ送信するコンテンツ送信部と、
を有することを特徴とするコンテンツ表示システム。
【請求項７】
個人の属性を示す個人属性情報を記憶する個人属性情報記憶部と、
他の携帯端末との間で前記個人属性情報を送受信する端末間通信部と、
前記個人属性情報記憶部に記憶されている前記個人属性情報と前記端末間通信部が他の携帯端末から受信した前記個人属性情報とを集約した集約属性情報を生成する情報生成部と、
認証を受けるための認証情報を記憶する認証情報記憶部と、
携帯端末の利用履歴を管理するサーバへ前記認証情報を送信する認証情報送信部と、
前記サーバへ前記集約属性情報を送信する集約属性情報送信部と、
を有することを特徴とする携帯端末。
【請求項８】
個人の属性を示す個人属性情報を集約した集約属性情報を携帯端末から受信する集約属性情報受信部と、
前記携帯端末から受信した前記集約属性情報を、コンテンツを管理するコンテンツサーバへ送信する集約属性情報送信部と、
前記集約属性情報に対応した前記コンテンツを前記コンテンツサーバから受信するコンテンツ受信部と、
前記コンテンツサーバから受信した前記コンテンツを表示する表示部と、
を有することを特徴とする表示端末。
【請求項９】
第１の認証情報を記憶する認証情報記憶部と、
携帯端末の利用履歴を記憶する利用履歴記憶部と、
前記携帯端末から第２の認証情報を受信する認証情報受信部と、
前記認証情報記憶部に記憶されている前記第１の認証情報と前記携帯端末から受信した前記第２の認証情報とを比較することによって認証を行う認証部と、
個人の属性を示す個人属性情報を集約した集約属性情報を前記携帯端末から受信する集約属性情報受信部と、
前記認証の結果、前記利用履歴の利用が許可された場合に、前記利用履歴および前記集約属性情報に対応するコンテンツを指定する指定情報を生成する指定情報生成部と、
コンテンツを管理するコンテンツサーバへ前記指定情報を送信する情報送信部と、
を有することを特徴とするサーバ。
【発明の詳細な説明】
【技術分野】
【０００１】
本発明は、デジタルサイネージへの個人向け情報の提示技術に係り、デジタルサイネージサーバから配信される個人向けのコンテンツを表示するコンテンツ表示システムに関する。また、本発明は、コンテンツ表示システムを構成する携帯端末、表示端末、およびサーバに関する。
【背景技術】
【０００２】
コンテンツを表示する仕組みの一例として、デジタルサイネージと呼ばれるものがある。デジタルサイネージでは、ビルの壁面や各種施設内に設置された表示端末に不特定多数の視聴者向けの広告などが表示される。なお、特許文献１には、ＩＣカードを使用した情報提供システムが記載されている。この情報提供システムでは、ＩＣカードから読み取られたＩＤが管理サーバへ送信され、そのＩＤに対応する提供情報が管理サーバからクライアント端末へ送信され、表示される。
【先行技術文献】
【特許文献】
【０００３】
【特許文献１】特開２００９−１３４６９４号公報
【発明の概要】
【発明が解決しようとする課題】
【０００４】
従来のデジタルサイネージでは、視聴者が特定されない公共施設など、公共の場所に表示端末が設置されることが多い。このため、デジタルサイネージでは、一般に不特定多数の視聴者に対するコンテンツの表示に利用されており、特定の個人向けに特定のコンテンツを表示するために利用されていない。したがって、表示端末を看視できる位置に存在する個々の視聴者にとって有益度の高いコンテンツを選別して表示することが困難であった。
【０００５】
なお、特許文献１に記載された情報提供システムでは、提供情報を管理する管理サーバに対して、秘匿すべき個人情報であるＩＤが送信されるため、セキュリティ上の問題がある。さらに、管理サーバでは、ＩＤ毎に提供情報を管理しなければならないため、利用者の数が膨大になった場合の管理負荷が高い。
【０００６】
本発明は、上述した課題に鑑みてなされたものであって、個人向けのコンテンツを表示することを目的とする。
【課題を解決するための手段】
【０００７】
本発明は、上記の課題を解決するためになされたもので、携帯端末と表示端末とコンテンツサーバとを備えたコンテンツ表示システムであって、前記携帯端末は、個人の属性を示す個人属性情報を記憶する個人属性情報記憶部と、前記表示端末へ前記個人属性情報を送信する第１の個人属性情報送信部と、を有し、前記表示端末は、前記携帯端末から前記個人属性情報を受信する第１の個人属性情報受信部と、前記携帯端末から受信した前記個人属性情報を前記コンテンツサーバへ送信する第２の個人属性情報送信部と、前記コンテンツサーバからコンテンツを受信するコンテンツ受信部と、前記コンテンツサーバから受信した前記コンテンツを表示する表示部と、を有し、前記コンテンツサーバは、前記コンテンツを記憶するコンテンツ記憶部と、前記表示端末から前記個人属性情報を受信する第２の個人属性情報受信部と、前記表示端末から受信した前記個人属性情報に基づいて、前記コンテンツ記憶部に記憶されている前記コンテンツの中からいずれかを選択する選択部と、前記選択部が選択した前記コンテンツを前記表示端末へ送信するコンテンツ送信部と、を有することを特徴とするコンテンツ表示システムである。
【０００８】
また、本発明は、携帯端末と表示端末とサーバとコンテンツサーバとを備えたコンテンツ表示システムであって、前記携帯端末は、個人の属性を示す個人属性情報を記憶する個人属性情報記憶部と、前記表示端末へ前記個人属性情報を送信する第１の個人属性情報送信部と、認証を受けるための第１の認証情報を記憶する第１の認証情報記憶部と、前記第１の認証情報を前記サーバへ送信する認証情報送信部と、を有し、前記表示端末は、前記携帯端末から前記個人属性情報を受信する第１の個人属性情報受信部と、前記携帯端末から受信した前記個人属性情報を前記サーバへ送信する第２の個人属性情報送信部と、前記サーバからコンテンツを受信するコンテンツ受信部と、前記サーバから受信した前記コンテンツを表示する表示部と、を有し、前記サーバは、第２の認証情報を記憶する第２の認証情報記憶部と、前記携帯端末の利用履歴を記憶する利用履歴記憶部と、前記携帯端末から前記第１の認証情報を受信する認証情報受信部と、前記携帯端末から受信した前記第１の認証情報と前記第２の認証情報記憶部に記憶されている前記第２の認証情報とを比較することによって認証を行う認証部と、前記認証の結果、前記利用履歴の利用が許可された場合に、前記利用履歴に対応するコンテンツを指定する指定情報を生成する指定情報生成部と、前記指定情報を前記コンテンツサーバへ送信する情報送信部と、を有し、前記コンテンツサーバは、前記コンテンツを記憶するコンテンツ記憶部と、前記表示端末から前記個人属性情報を受信する第２の個人属性情報受信部と、前記サーバから前記指定情報を受信する情報受信部と、前記表示端末から受信した前記個人属性情報と前記サーバから受信した前記指定情報とに基づいて、前記コンテンツ記憶部に記憶されている前記コンテンツの中からいずれかを選択する選択部と、前記選択部が選択した前記コンテンツを前記表示端末へ送信するコンテンツ送信部と、を有することを特徴とするコンテンツ表示システムである。
【０００９】
また、本発明は、携帯端末と表示端末とコンテンツサーバとを備えたコンテンツ表示システムであって、前記携帯端末は、個人の属性を示す個人属性情報を記憶する個人属性情報記憶部と、他の前記携帯端末との間で前記個人属性情報を送受信する端末間通信部と、前記個人属性情報記憶部に記憶されている前記個人属性情報と前記端末間通信部が他の前記携帯端末から受信した前記個人属性情報とを集約した集約属性情報を生成する情報生成部と、前記表示端末へ前記集約属性情報を送信する第１の集約属性情報送信部と、を有し、前記表示端末は、前記携帯端末から前記集約属性情報を受信する第１の集約属性情報受信部と、前記携帯端末から受信した前記集約属性情報を前記コンテンツサーバへ送信する第２の集約属性情報送信部と、前記コンテンツサーバからコンテンツを受信するコンテンツ受信部と、前記コンテンツサーバから受信した前記コンテンツを表示する表示部と、を有し、前記コンテンツサーバは、前記コンテンツを記憶するコンテンツ記憶部と、前記表示端末から前記集約属性情報を受信する第２の集約属性情報受信部と、前記表示端末から受信した前記集約属性情報に基づいて、前記コンテンツ記憶部に記憶されている前記コンテンツの中からいずれかを選択する選択部と、前記選択部が選択した前記コンテンツを前記表示端末へ送信するコンテンツ送信部と、を有することを特徴とするコンテンツ表示システムである。
【００１０】
また、本発明は、携帯端末と表示端末とサーバとコンテンツサーバとを備えたコンテンツ表示システムであって、前記携帯端末は、個人の属性を示す個人属性情報を記憶する個人属性情報記憶部と、他の前記携帯端末との間で前記個人属性情報を送受信する端末間通信部と、前記個人属性情報記憶部に記憶されている前記個人属性情報と前記端末間通信部が他の前記携帯端末から受信した前記個人属性情報とを集約した集約属性情報を生成する情報生成部と、前記表示端末へ前記集約属性情報を送信する第１の集約属性情報送信部と、認証を受けるための第１の認証情報を記憶する第１の認証情報記憶部と、前記第１の認証情報を前記サーバへ送信する認証情報送信部と、を有し、前記表示端末は、前記携帯端末から前記集約属性情報を受信する第１の集約属性情報受信部と、前記携帯端末から受信した前記集約属性情報を前記コンテンツサーバへ送信する第２の集約属性情報送信部と、前記コンテンツサーバからコンテンツを受信するコンテンツ受信部と、前記コンテンツサーバから受信した前記コンテンツを表示する表示部と、を有し、前記サーバは、第２の認証情報を記憶する第２の認証情報記憶部と、前記携帯端末の利用履歴を記憶する利用履歴記憶部と、前記携帯端末から前記第１の認証情報を受信する認証情報受信部と、前記携帯端末から受信した前記第１の認証情報と前記第２の認証情報記憶部に記憶されている前記第２の認証情報とを比較することによって認証を行う認証部と、前記認証の結果、前記利用履歴の利用が許可された場合に、前記利用履歴に対応するコンテンツを指定する指定情報を生成する指定情報生成部と、前記指定情報を前記コンテンツサーバへ送信する情報送信部と、を有し、前記コンテンツサーバは、前記コンテンツを記憶するコンテンツ記憶部と、前記表示端末から前記集約属性情報を受信する第２の集約属性情報受信部と、前記サーバから前記指定情報を受信する情報受信部と、前記表示端末から受信した前記集約属性情報と前記サーバから受信した前記指定情報とに基づいて、前記コンテンツ記憶部に記憶されている前記コンテンツの中からいずれかを選択する選択部と、前記選択部が選択した前記コンテンツを前記表示端末へ送信するコンテンツ送信部と、を有することを特徴とするコンテンツ表示システムである。
【００１１】
また、本発明は、携帯端末と表示端末とサーバとコンテンツサーバとを備えたコンテンツ表示システムであって、前記携帯端末は、個人の属性を示す個人属性情報を記憶する個人属性情報記憶部と、他の前記携帯端末との間で前記個人属性情報を送受信する端末間通信部と、前記個人属性情報記憶部に記憶されている前記個人属性情報と前記端末間通信部が他の前記携帯端末から受信した前記個人属性情報とを集約した集約属性情報を生成する情報生成部と、認証を受けるための第１の認証情報を記憶する第１の認証情報記憶部と、前記第１の認証情報を前記サーバへ送信する認証情報送信部と、前記サーバへ前記集約属性情報を送信する集約属性情報送信部と、を有し、前記表示端末は、前記コンテンツサーバからコンテンツを受信するコンテンツ受信部と、前記コンテンツサーバから受信した前記コンテンツを表示する表示部と、を有し、前記サーバは、第２の認証情報を記憶する第２の認証情報記憶部と、前記携帯端末の利用履歴を記憶する利用履歴記憶部と、前記携帯端末から前記第１の認証情報を受信する認証情報受信部と、前記携帯端末から受信した前記第１の認証情報と前記第２の認証情報記憶部に記憶されている前記第２の認証情報とを比較することによって認証を行う認証部と、前記携帯端末から前記集約属性情報を受信する集約属性情報受信部と、前記認証の結果、前記利用履歴の利用が許可された場合に、前記利用履歴に対応するコンテンツを指定する指定情報を生成する指定情報生成部と、前記指定情報および前記集約属性情報を前記コンテンツサーバへ送信する情報送信部と、を有し、前記コンテンツサーバは、前記コンテンツを記憶するコンテンツ記憶部と、前記サーバから前記指定情報および前記集約属性情報を受信する情報受信部と、前記サーバから受信した前記指定情報および前記集約属性情報に基づいて、前記コンテンツ記憶部に記憶されている前記コンテンツの中からいずれかを選択する選択部と、前記選択部が選択した前記コンテンツを前記表示端末へ送信するコンテンツ送信部と、を有することを特徴とするコンテンツ表示システムである。
【００１２】
また、本発明は、携帯端末と表示端末とサーバとコンテンツサーバとを備えたコンテンツ表示システムであって、前記携帯端末は、個人の属性を示す個人属性情報を記憶する個人属性情報記憶部と、他の前記携帯端末との間で前記個人属性情報を送受信する端末間通信部と、前記個人属性情報記憶部に記憶されている前記個人属性情報と前記端末間通信部が他の前記携帯端末から受信した前記個人属性情報とを集約した集約属性情報を生成する情報生成部と、認証を受けるための第１の認証情報を記憶する第１の認証情報記憶部と、前記第１の認証情報を前記サーバへ送信する認証情報送信部と、前記サーバへ前記集約属性情報を送信する集約属性情報送信部と、を有し、前記表示端末は、前記コンテンツサーバからコンテンツを受信するコンテンツ受信部と、前記コンテンツサーバから受信した前記コンテンツを表示する表示部と、を有し、前記サーバは、第２の認証情報を記憶する第２の認証情報記憶部と、前記携帯端末の利用履歴を記憶する利用履歴記憶部と、前記携帯端末から前記第１の認証情報を受信する認証情報受信部と、前記携帯端末から受信した前記第１の認証情報と前記第２の認証情報記憶部に記憶されている前記第２の認証情報とを比較することによって認証を行う認証部と、前記携帯端末から前記集約属性情報を受信する集約属性情報受信部と、前記認証の結果、前記利用履歴の利用が許可された場合に、前記利用履歴および前記集約属性情報に対応するコンテンツを指定する指定情報を生成する指定情報生成部と、前記指定情報を前記コンテンツサーバへ送信する情報送信部と、を有し、前記コンテンツサーバは、前記コンテンツを記憶するコンテンツ記憶部と、前記サーバから前記指定情報を受信する情報受信部と、前記サーバから受信した前記指定情報に基づいて、前記コンテンツ記憶部に記憶されている前記コンテンツの中からいずれかを選択する選択部と、前記選択部が選択した前記コンテンツを前記表示端末へ送信するコンテンツ送信部と、を有することを特徴とするコンテンツ表示システムである。
【００１３】
また、本発明は、個人の属性を示す個人属性情報を記憶する個人属性情報記憶部と、他の携帯端末との間で前記個人属性情報を送受信する端末間通信部と、前記個人属性情報記憶部に記憶されている前記個人属性情報と前記端末間通信部が他の携帯端末から受信した前記個人属性情報とを集約した集約属性情報を生成する情報生成部と、認証を受けるための認証情報を記憶する認証情報記憶部と、携帯端末の利用履歴を管理するサーバへ前記認証情報を送信する認証情報送信部と、前記サーバへ前記集約属性情報を送信する集約属性情報送信部と、を有することを特徴とする携帯端末である。
【００１４】
また、本発明は、個人の属性を示す個人属性情報を集約した集約属性情報を携帯端末から受信する集約属性情報受信部と、前記携帯端末から受信した前記集約属性情報を、コンテンツを管理するコンテンツサーバへ送信する集約属性情報送信部と、前記集約属性情報に対応した前記コンテンツを前記コンテンツサーバから受信するコンテンツ受信部と、前記コンテンツサーバから受信した前記コンテンツを表示する表示部と、を有することを特徴とする表示端末である。
【００１５】
また、本発明は、第１の認証情報を記憶する認証情報記憶部と、携帯端末の利用履歴を記憶する利用履歴記憶部と、前記携帯端末から第２の認証情報を受信する認証情報受信部と、前記認証情報記憶部に記憶されている前記第１の認証情報と前記携帯端末から受信した前記第２の認証情報とを比較することによって認証を行う認証部と、個人の属性を示す個人属性情報を集約した集約属性情報を前記携帯端末から受信する集約属性情報受信部と、前記認証の結果、前記利用履歴の利用が許可された場合に、前記利用履歴および前記集約属性情報に対応するコンテンツを指定する指定情報を生成する指定情報生成部と、コンテンツを管理するコンテンツサーバへ前記指定情報を送信する情報送信部と、を有することを特徴とするサーバである。
【発明の効果】
【００１６】
本発明によれば、個人属性情報または集約属性情報に対応するコンテンツが選択されて表示端末へ送信されるので、表示端末において個人属性情報または集約属性情報に基づく特定の個人向けのコンテンツを表示することができる。
【図面の簡単な説明】
【００１７】
【図１】本発明の実施形態によるコンテンツ表示システムの構成を示す構成図である。
【図２】本発明の実施形態による表示端末の画面を示す図である。
【図３】本発明の第１の実施形態による携帯電話の構成を示すブロック図である。
【図４】本発明の第１の実施形態による表示端末の構成を示すブロック図である。
【図５】本発明の第１の実施形態によるサイネージサーバの構成を示すブロック図である。
【図６】本発明の第１の実施形態によるコンテンツ表示システムの動作を示すシーケンス図である。
【図７】本発明の第１の実施形態における個人属性情報の内容を示す図である。
【図８】本発明の第１の実施形態におけるコンテンツの内容を示す図である。
【図９】本発明の第２の実施形態による携帯電話の構成を示すブロック図である。
【図１０】本発明の第２の実施形態による表示端末の構成を示すブロック図である。
【図１１】本発明の第２の実施形態による携帯電話サーバの構成を示すブロック図である。
【図１２】本発明の第２の実施形態によるサイネージサーバの構成を示すブロック図である。
【図１３】本発明の第２の実施形態によるコンテンツ表示システムの動作を示すシーケンス図である。
【図１４】本発明の第２の実施形態における利用履歴の内容を示す図である。
【図１５】本発明の第２の実施形態におけるコンテンツの内容を示す図である。
【図１６】本発明の第３の実施形態による携帯電話の構成を示すブロック図である。
【図１７】本発明の第３の実施形態による表示端末の構成を示すブロック図である。
【図１８】本発明の第３の実施形態によるコンテンツ表示システムの動作を示すシーケンス図である。
【図１９】本発明の第３の実施形態における端末リストの内容を示す図である。
【図２０】本発明の第３の実施形態における個人属性情報および集約属性情報の内容を示す図である。
【図２１】本発明の第４の実施形態によるコンテンツ表示システムの利用形態を示す図である。
【図２２】本発明の第４の実施形態による携帯電話の構成を示すブロック図である。
【図２３】本発明の第４の実施形態によるコンテンツ表示システムの動作を示すシーケンス図である。
【図２４】本発明の第４の実施形態によるコンテンツ表示システムの動作を示すシーケンス図である。
【図２５】本発明の第５の実施形態によるコンテンツ表示システムの動作を示すシーケンス図である。
【図２６】本発明の第５の実施形態によるコンテンツ表示システムの動作を示すシーケンス図である。
【図２７】本発明の第５の実施形態によるコンテンツ表示システムの動作を示すシーケンス図である。
【発明を実施するための形態】
【００１８】
以下、図面を参照し、本発明の実施形態を説明する。図１は、本発明の一実施形態によるコンテンツ表示システムの構成を示している。図１に示すコンテンツ表示システムは、ユーザが所持する携帯電話１（本発明における携帯端末に対応）と、コンテンツを表示する表示端末２と、携帯電話１を管理すると共に携帯電話向けの各種サービスを提供するサービスプロバイダが管理する携帯電話サーバ３（本発明におけるサーバに対応）と、デジタルサイネージのサービスを提供する事業者が管理するサイネージサーバ４（本発明におけるコンテンツサーバに対応）とを有する。
【００１９】
携帯電話１は複数存在しており、表示端末２および携帯電話サーバ３と通信を行うように構成されている。また、後述するが、各携帯電話１は、基地局を介さずに他の携帯電話１と直接通信を行うことが可能である。
【００２０】
表示端末２は、公共の車両や各種施設等に設置されている。図示は省略しているが、表示端末２は複数存在している。表示端末２は携帯電話１およびサイネージサーバ４と通信を行うように構成されている。また、表示端末２は、不特定多数の視聴者向けのコンテンツと、特定の属性を有する個人の視聴者向けのコンテンツとの両方を表示することが可能である。例えば、図２に示すように、表示端末２が有する表示部２３の画面は複数の領域２３ａ〜２３ｄに分割されており、領域２３ａには不特定多数の視聴者向けのコンテンツが表示され、領域２３ｂ〜２３ｄには特定の属性を有する個人の視聴者向けのコンテンツが表示される。
【００２１】
携帯電話サーバ３は、携帯電話１およびサイネージサーバ４と通信を行うように構成されている。サイネージサーバ４は、表示端末２およびサイネージサーバ４と通信を行うように構成されている。
【００２２】
（第１の実施形態）
以下、本発明の第１の実施形態を説明する。第１の実施形態では、表示端末２の周囲にある携帯電話１を所持するユーザ個人の性別や年齢等の属性に基づいて選択された、その個人向けのコンテンツが表示端末２の表示部２３に表示される。表示されるコンテンツは、ユーザの属性を反映したものとなる。
【００２３】
図３は携帯電話１の構成を示している。携帯電話１は、制御部１０と、操作部１１と、通信部１２と、記憶部１３と、表示部１４とを有する。制御部１０は、各種処理を実行し、携帯電話１内の各部を制御する。また、制御部１０は、通信部１２が行う通信を制御する通信制御部１０ａを有する。操作部１１は、ユーザからの操作を受け付けるキー等を有する。通信部１２は他の装置と通信を行うように構成されており、表示端末２と通信を行う表示端末用通信部１２ａ（本発明における個人属性情報送信部に対応）を有する。表示端末用通信部１２ａは、性別や年齢等のユーザの属性を示す個人属性情報の送信等を行う。記憶部１３は各種情報を記憶するように構成されており、個人属性情報を記憶する個人属性情報記憶部１３ａ（本発明における個人属性情報記憶部に対応）を有する。表示部１４は、ユーザに提示する各種情報を表示する。
【００２４】
図４は表示端末２の構成を示している。表示端末２は、制御部２０と、通信部２１と、記憶部２２と、表示部２３とを有する。制御部２０は、各種処理を実行し、表示端末２内の各部を制御する。通信部２１は他の装置と通信を行うように構成されており、携帯電話１と通信を行う携帯電話用通信部２１ａ（本発明における個人属性情報受信部に対応）と、サイネージサーバ４と通信を行うサイネージサーバ用通信部２１ｂ（本発明における個人属性情報送信部、コンテンツ受信部に対応）とを有する。携帯電話用通信部２１ａは、個人属性情報の受信等を行う。サイネージサーバ用通信部２１ｂは、個人属性情報の送信やコンテンツの受信等を行う。記憶部２２は各種情報を記憶するように構成されている。表示部２３（本発明における表示部に対応）は、サイネージサーバ４から受信したコンテンツを画像として表示する。
【００２５】
図５はサイネージサーバ４の構成を示している。サイネージサーバ４は、制御部４０と、通信部４１と、記憶部４２とを有する。制御部４０は、各種処理を実行し、サイネージサーバ４内の各部を制御する。また、制御部４０は、コンテンツ記憶部４２ａに記憶されているコンテンツの中から表示端末２へ送信するコンテンツを選択するコンテンツ選択部４０ａ（本発明における選択部に対応）を有する。通信部４１は他の装置と通信を行うように構成されており、表示端末２と通信を行う表示端末用通信部４１ａ（本発明における個人属性情報受信部、コンテンツ送信部に対応）を有する。表示端末用通信部４１ａは、個人属性情報の受信やコンテンツの送信等を行う。記憶部４２は各種情報を記憶するように構成されており、各種コンテンツを記憶するコンテンツ記憶部４２ａ（本発明におけるコンテンツ記憶部に対応）を有する。
【００２６】
なお、携帯電話サーバ３は第１の実施形態の動作に関係しないので、携帯電話サーバ３については構成の説明を省略する。
【００２７】
次に、図６を参照しながら、個人向けのコンテンツを表示端末２に表示する際のコンテンツ表示システムの動作を説明する。
【００２８】
表示端末２は無線ＬＡＮのアクセスポイントとしての機能を有し、無線ネットワークを形成している。そして、表示端末２は、ネットワークの識別子であるＳＳＩＤ等を含むビーコンを定期的に発信している。携帯電話１の表示端末用通信部１２ａは、ビーコンを受信した場合、ビーコンを制御部１０へ出力する。制御部１０の通信制御部１０ａは、ビーコン中のＳＳＩＤ等に基づいて無線通信の設定を行う（ステップＳ１００）。これにより、携帯電話１は、表示端末２が形成している無線ネットワークに参加し、表示端末２と通信を行うことが可能となる。
【００２９】
続いて、通信制御部１０ａは個人属性情報記憶部１３ａから個人属性情報を読み出し、表示端末用通信部１２ａへ出力する。表示端末用通信部１２ａは表示端末２へ個人属性情報を送信する（ステップＳ１０５）。
【００３０】
表示端末２の携帯電話用通信部２１ａは、携帯電話１から送信された個人属性情報を受信し、制御部２０へ出力する。制御部２０は、表示端末２から受信した個人属性情報をサイネージサーバ用通信部２１ｂへ出力する。サイネージサーバ用通信部２１ｂはサイネージサーバ４へ個人属性情報を送信する（ステップＳ１１０）。
【００３１】
サイネージサーバ４の表示端末用通信部４１ａは、表示端末２から送信された個人属性情報を受信し、制御部４０へ出力する。制御部４０のコンテンツ選択部４０ａは、コンテンツ記憶部４２ａに記憶されているコンテンツの中から、個人属性情報が示す属性に合った個人向けのコンテンツを選択する（ステップＳ１１５）。コンテンツ選択部４０ａは、選択したコンテンツをコンテンツ記憶部４２ａから読み出し、表示端末用通信部４１ａへ出力する。表示端末用通信部４１ａはコンテンツを表示端末２へ送信する（ステップＳ１２０）。表示端末２から受信された個人属性情報のフレームには表示端末２のＩＰアドレスが含まれており、表示端末用通信部４１ａはこのＩＰアドレス宛てにコンテンツを送信する。
【００３２】
表示端末２のサイネージサーバ用通信部２１ｂは、サイネージサーバ４から送信されたコンテンツを受信し、制御部２０へ出力する。制御部２０はコンテンツを表示部２３へ出力する。表示部２３は、コンテンツを画像として表示する（ステップＳ１２５）。以上の動作によって、表示端末２の周囲にある携帯電話１を所持するユーザ向けのコンテンツが表示部２３に表示される。
【００３３】
以下、個人属性情報の具体例を挙げて、ステップＳ１１５におけるコンテンツの選択方法を説明する。図７は個人属性情報の一例を示している。図７に示すように、個人属性情報は性別と年齢からなる。図７（ａ）に示す個人属性情報では、性別が「男」であり年齢が「２０」である。また、図７（ｂ）に示す個人属性情報では、性別が「女」であり年齢が「３５」である。
【００３４】
図８は、サイネージサーバ４が管理しているコンテンツの一例を示している。図８に示すように、各コンテンツは、想定される利用者の性別および年齢と関連付けられている。例えば、「コンテンツ１」では、性別が「男」であり、年齢が「〜２０」（２０才以下）である。コンテンツ選択部４０ａは、表示端末２から受信された個人属性情報が示す性別および年齢の条件を満たすコンテンツを選択する。
【００３５】
例えば、図７（ａ）に示す個人属性情報が表示端末２から受信された場合、図８に示すコンテンツの中から、性別が個人属性情報の性別と一致し、かつ年齢が個人属性情報の年齢を含む「コンテンツ１」が選択される。同様に、図７（ｂ）に示す個人属性情報が表示端末２から受信された場合、「コンテンツ５」が選択される。
【００３６】
上記のように、第１の実施形態によれば、サイネージサーバ４において、個人属性情報に対応するコンテンツが選択されて表示端末２へ送信されるので、表示端末２において個人向けのコンテンツを表示することができる。また、個人属性情報をコンテンツの選択に利用することによって、携帯電話１を所持するユーザの匿名性を保つことができる。
【００３７】
（第２の実施形態）
以下、本発明の第２の実施形態を説明する。第２の実施形態では、表示端末２の周囲にある携帯電話１を所持するユーザ個人の性別や年齢等の属性と携帯電話１の利用履歴とに基づいて選択された、その個人向けのコンテンツが表示端末２の表示部２３に表示される。携帯電話１の利用履歴から、携帯電話１を所持するユーザ個人の嗜好を推定することが可能である。したがって、表示されるコンテンツは、ユーザ個人の属性と嗜好の両方を反映したものとなる。
【００３８】
図９は携帯電話１の構成を示している。図９に示す携帯電話１の構成と、図３に示した携帯電話１の構成とでは、通信部１２および記憶部１３の構成が異なる。通信部１２は、前述した表示端末用通信部１２ａと、携帯電話サーバ３と通信を行う携帯電話サーバ用通信部１２ｂ（本発明における認証情報送信部に対応）とを有する。携帯電話サーバ用通信部１２ｂは、携帯電話１の利用履歴を使用可能とするために携帯電話サーバ３から認証を受けるための認証情報を携帯電話サーバ３へ送信する。記憶部１３は、前述した個人属性情報記憶部１３ａと、認証情報を記憶する認証情報記憶部１３ｂ（本発明における認証情報記憶部に対応）とを有する。認証情報は、例えば携帯電話１毎に割り当てられたＩＤとパスワードの組合せである。このＩＤは電話番号でもよい。
【００３９】
図１０は表示端末２の構成を示している。図１０に示す表示端末２の構成と、図４に示した表示端末２の構成とでは、記憶部２２の構成が異なる。記憶部２２は、表示端末２毎に割り当てられた表示端末ＩＤを記憶するＩＤ記憶部２２ａを有する。
【００４０】
図１１は携帯電話サーバ３の構成を示している。携帯電話サーバ３は、制御部３０と、通信部３１と、記憶部３２とを有する。制御部３０は、各種処理を実行し、携帯電話サーバ３内の各部を制御する。また、制御部３０は、携帯電話１を認証する認証部３０ａ（本発明における認証部に対応）と、携帯電話１を所持するユーザの嗜好に合ったコンテンツを指定するコンテンツ指定情報等を生成する情報生成部３０ｂ（本発明における指定情報生成部に対応）とを有する。
【００４１】
通信部３１は他の装置と通信を行うように構成されており、携帯電話１と通信を行う携帯電話用通信部３１ａ（本発明における認証情報受信部に対応）と、サイネージサーバ４と通信を行うサイネージサーバ用通信部３１ｂ（本発明における情報送信部に対応）とを有する。携帯電話用通信部３１ａは、個人属性情報および表示端末ＩＤの受信や、利用履歴の使用許可を示す使用許可情報の送信等を行う。サイネージサーバ用通信部３１ｂは、コンテンツ指定情報および表示端末ＩＤの送信等を行う。記憶部３２は各種情報を記憶するように構成されており、携帯電話１毎の利用履歴を記憶する利用履歴記憶部３２ａ（本発明における利用履歴記憶部に対応）と、携帯電話１毎の認証情報を記憶する認証情報記憶部３２ｂ（本発明における認証情報記憶部に対応）とを有する。利用履歴は、携帯電話１毎に割り当てられたＩＤと関連付けられた状態で利用履歴記憶部３２ａに保存されている。
【００４２】
図１２はサイネージサーバ４の構成を示している。図１２に示すサイネージサーバ４の構成と、図５に示したサイネージサーバ４の構成とでは、通信部４１および記憶部４２の構成が異なる。通信部４１は、前述した表示端末用通信部４１ａと、携帯電話サーバ３と通信を行う携帯電話サーバ用通信部４１ｂ（本発明における情報受信部に対応）とを有する。携帯電話サーバ用通信部４１ｂは、コンテンツ指定情報および表示端末ＩＤの受信等を行う。記憶部４２は、前述したコンテンツ記憶部４２ａと、表示端末ＩＤおよび表示端末のＩＰアドレスを関連付けて記憶する表示端末情報記憶部４２ｂとを有する。
【００４３】
次に、図１３を参照しながら、個人向けのコンテンツを表示端末２に表示する際のコンテンツ表示システムの動作を説明する。
【００４４】
ステップＳ２００の内容は図６のステップＳ１００の内容と同様であるので、説明を省略する。続いて、通信制御部１０ａは個人属性情報記憶部１３ａから個人属性情報を読み出し、表示端末用通信部１２ａへ出力する。表示端末用通信部１２ａは表示端末２へ個人属性情報を送信する（ステップＳ２０５）。
【００４５】
表示端末２の携帯電話用通信部２１ａは、携帯電話１から送信された個人属性情報を受信し、制御部２０へ出力する。制御部２０は、ＩＤ記憶部２２ａから表示端末ＩＤを読み出し、表示端末２から受信した個人属性情報と共にサイネージサーバ用通信部２１ｂへ出力する。サイネージサーバ用通信部２１ｂはサイネージサーバ４へ個人属性情報および表示端末ＩＤを送信する。サイネージサーバ４の表示端末用通信部４１ａは、表示端末２から送信された個人属性情報および表示端末ＩＤを受信し、制御部４０へ出力する（ステップＳ２１０）。
【００４６】
表示端末２の制御部２０は、ＩＤ記憶部２２ａから読み出した表示端末ＩＤを携帯電話用通信部２１ａへ出力する。携帯電話用通信部２１ａは表示端末ＩＤを携帯電話１へ送信する（ステップＳ２１５）。
【００４７】
携帯電話１の表示端末用通信部１２ａは、表示端末２から送信された表示端末ＩＤを受信し、制御部１０へ出力する。制御部１０は、認証情報記憶部１３ｂから認証情報を読み出し、携帯電話サーバ用通信部１２ｂへ出力する。携帯電話サーバ用通信部１２ｂは携帯電話サーバ３へ認証情報を送信する（ステップＳ２２０）。
【００４８】
携帯電話サーバ３の携帯電話用通信部３１ａは、携帯電話１から送信された認証情報を受信し、制御部３０へ出力する。制御部３０の認証部３０ａは、携帯電話１から受信した認証情報を、認証情報記憶部３２ｂに記憶されている認証情報と順次比較することによって、認証を行う（ステップＳ２２５）。認証情報記憶部３２ｂに記憶されている認証情報の中に、携帯電話１から受信した認証情報と一致するものが存在した場合、利用履歴の使用が許可される。また、認証情報記憶部３２ｂに記憶されている認証情報の中に、携帯電話１から受信した認証情報と一致するものが存在しなかった場合、利用履歴の使用が拒否される。
【００４９】
利用履歴の使用が許可された場合、制御部３０の情報生成部３０ｂは使用許可情報を生成し、携帯電話用通信部３１ａへ出力する。携帯電話用通信部３１ａは使用許可情報を携帯電話１へ送信する（ステップＳ２３０）。
【００５０】
携帯電話１の携帯電話サーバ用通信部１２ｂは、携帯電話サーバ３から送信された使用許可情報を受信し、制御部１０へ出力する。制御部１０は、使用許可情報に基づいて、利用履歴の使用が許可されたと判断して、表示端末２から受信した表示端末ＩＤを携帯電話サーバ用通信部１２ｂへ出力する。携帯電話サーバ用通信部１２ｂは表示端末ＩＤを携帯電話サーバ３へ送信する（ステップＳ２３５）。
【００５１】
携帯電話サーバ３の携帯電話用通信部３１ａは、携帯電話１から送信された表示端末ＩＤを受信し、制御部３０へ出力する。制御部３０の情報生成部３０ｂは、利用履歴記憶部３２ａに記憶されている利用履歴から、携帯電話１のＩＤと関連付けられている利用履歴を読み出す。さらに、情報生成部３０ｂは、利用履歴記憶部３２ａから読み出した利用履歴に基づいて、携帯電話１を所持するユーザの嗜好に合ったコンテンツを指定するコンテンツ指定情報を生成し、携帯電話１から受信した表示端末ＩＤと共にサイネージサーバ用通信部３１ｂへ出力する（ステップＳ２４０）。サイネージサーバ用通信部３１ｂはコンテンツ指定情報および表示端末ＩＤをサイネージサーバ４へ送信する（ステップＳ２４５）。
【００５２】
サイネージサーバ４の携帯電話サーバ用通信部４１ｂは、携帯電話サーバ３から送信されたコンテンツ指定情報および表示端末ＩＤを受信し、制御部４０へ出力する。制御部４０のコンテンツ選択部４０ａは、ステップＳ２１０で表示端末から送信された表示端末ＩＤと、ステップＳ２４５で携帯電話サーバ３から送信された表示端末ＩＤとが一致する場合に、コンテンツ記憶部４２ａに記憶されているコンテンツの中から、ステップＳ２１０で表示端末から送信された個人属性情報が示す属性と、ステップＳ２４５で携帯電話サーバ３から送信されたコンテンツ指定情報とに合った個人向けのコンテンツを選択する（ステップＳ２５０）。
【００５３】
コンテンツ選択部４０ａは、選択したコンテンツをコンテンツ記憶部４２ａから読み出し、表示端末用通信部４１ａへ出力する。表示端末用通信部４１ａはコンテンツを表示端末２へ送信する（ステップＳ２５５）。このとき、表示端末情報記憶部４２ｂから、上記の表示端末ＩＤと関連付けられているＩＰアドレスが読み出され、このＩＰアドレス宛てにコンテンツが送信される。
【００５４】
表示端末２のサイネージサーバ用通信部２１ｂは、サイネージサーバ４から送信されたコンテンツを受信し、制御部２０へ出力する。制御部２０はコンテンツを表示部２３へ出力する。表示部２３は、コンテンツを画像として表示する（ステップＳ２６０）。以上の動作によって、表示端末２の周囲にある携帯電話１を所持するユーザ向けのコンテンツが表示部２３に表示される。
【００５５】
以下、個人属性情報および利用履歴の具体例を挙げて、ステップＳ２４０におけるコンテンツ指定情報の生成方法と、ステップＳ２５０におけるコンテンツの選択方法とを説明する。図１４は、携帯電話サーバ３が保持している個人利用履歴の一例を示している。図１４に示すように、個人利用履歴には、携帯電話１がネットワークを介してコンテンツ提供サイトにアクセスした日時と、そのコンテンツ提供サイトで提供されているコンテンツの種類（電子書籍・コミック・楽曲・ゲームなど）を示す番号とが記録されている。携帯電話サーバ３は、既知のコンテンツ提供サイトをコンテンツの種類毎に予め分類したリストを保持しており、携帯電話１がコンテンツ提供サイトにアクセスしたときに、このリストに基づいて、そのコンテンツ提供サイトで提供されているコンテンツの種類を個人利用履歴に記録する。ステップＳ２４０において、情報生成部３０ｂは、上記の個人利用履歴に基づいて、例えば最も利用頻度の高いコンテンツの種類を選択し、その情報をコンテンツ指定情報とする。
【００５６】
図１５は、サイネージサーバ４が管理しているコンテンツの一例を示している。図１５に示すように、各コンテンツは、想定される利用者の性別および年齢と共に、コンテンツの種類と関連付けられている。例えば、「コンテンツ１」では、性別が「男」であり、年齢が「〜２０」（２０才以下）であり、コンテンツの種類が「１」である。ステップＳ２５０において、コンテンツ選択部４０ａは、表示端末２から受信した個人属性情報が示す性別および年齢の条件を満たし、かつコンテンツ指定情報が示すコンテンツの種類と一致するコンテンツを選択する。
【００５７】
例えば、図７（ａ）に示した個人属性情報（性別が「男」、年齢が「２０」）が表示端末２から受信され、コンテンツ指定情報が「１」である場合、図１５に示すコンテンツの中から、性別が個人属性情報の性別と一致すると共に、年齢が個人属性情報の年齢を含み、かつコンテンツ種類がコンテンツ指定情報と一致する「コンテンツ１」が選択される。選択されるコンテンツは複数であってもよい。
【００５８】
上記のように、第２の実施形態によれば、サイネージサーバ４において、個人属性情報およびコンテンツ指定情報に対応するコンテンツが選択されて表示端末２へ送信されるので、表示端末２において個人向けのコンテンツを表示することができる。また、個人属性情報をコンテンツの選択に利用することによって、携帯電話１を所持するユーザの匿名性を保つことができる。また、携帯電話１の利用履歴に基づくコンテンツ指定情報をコンテンツの選択に利用することによって、携帯電話１を所持するユーザの嗜好をコンテンツに反映させることができる。さらに、利用履歴の使用前に携帯電話サーバ３において携帯電話１の認証を行うことによって、携帯電話１を所持するユーザの個人情報の悪意による使用を防ぐことができる。
【００５９】
（第３の実施形態）
以下、本発明の第３の実施形態を説明する。第３の実施形態では、表示端末２の周囲にある複数の携帯電話１のそれぞれを所持する複数のユーザ個人の性別や年齢等の属性に基づいて選択された、複数の個人向けのコンテンツが表示端末２の表示部２３に表示される。表示されるコンテンツは、複数のユーザに共通する属性を反映したものとなる。
【００６０】
図１６は携帯電話１の構成を示している。図１６に示す携帯電話１の構成と、図３に示した携帯電話１の構成とでは、制御部１０および通信部１２の構成が異なる。制御部１０は、前述した通信制御部１０ａと、個人属性情報記憶部１３ａに記憶されている個人属性情報および携帯電話１の周囲に存在する他の携帯電話１から収集した個人属性情報を集約した集約属性情報を生成する集約属性情報生成部１０ｂ（本発明における情報生成部に対応）とを有する。通信部１２は、前述した表示端末用通信部１２ａ（本発明における集約属性情報送信部に対応）と、他の携帯電話１と基地局を介さずに通信を行う携帯電話間通信部１２ｃ（本発明における端末間通信部に対応）とを有する。
【００６１】
図１７は表示端末２の構成を示している。図１７に示す表示端末２の構成と、図４に示した表示端末２の構成とでは、記憶部２２の構成が異なる。記憶部２２は、前述したＩＤ記憶部２２ａと、後述する携帯電話１のリストを記憶するリスト記憶部２２ｂとを有する。
【００６２】
なお、携帯電話サーバ３は第３の実施形態の動作に関係しないので、携帯電話サーバ３については構成の説明を省略する。サイネージサーバ４の構成は、図５に示した構成と同様であるので、説明を省略する。
【００６３】
次に、図１８を参照しながら、複数個人向けのコンテンツを表示端末２に表示する際のコンテンツ表示システムの動作を説明する。各携帯電話１は、表示端末２が形成している無線ネットワークに参加し、アドホックモードにより、互いに通信を行う。より具体的には、携帯電話１は、表示端末２に近づいて表示端末２からのビーコンを初めて受信したときに無線ネットワークに参加し、表示端末２から遠ざかって表示端末２からのビーコンを受信できなくなったときに無線ネットワークから離脱する。
【００６４】
携帯電話１の表示端末用通信部１２ａは、表示端末２からのビーコンを受信した場合、ビーコンを制御部１０へ出力する。制御部１０の通信制御部１０ａは、ビーコン中のＳＳＩＤ等に基づいて無線通信の設定を行う（ステップＳ３００）。これにより、携帯電話１は、表示端末２が形成している無線ネットワークに参加し、表示端末２と通信を行うことが可能となる。
【００６５】
表示端末用通信部１２ａは、無線ネットワークに参加している間、自端末が存在していることを示す端末存在情報を表示端末２へ送信する（ステップＳ３０５）。表示端末２の携帯電話用通信部２１ａは、端末存在情報を受信し、制御部２０へ出力する。制御部２０は、この端末存在情報に基づいて、携帯電話１が無線ネットワークに参加していると判断し、リスト記憶部２２ｂに格納されている携帯電話リストを更新する（ステップＳ３１０）。
【００６６】
携帯電話リストは、無線ネットワークに参加している携帯電話１のリストである。図１９は、携帯電話リストの一例を示している。図１９に示すように携帯電話リストは、携帯電話１の識別子と、携帯電話１のＩＰアドレスと、携帯電話１が無線ネットワークに参加した日時と、制御端末であるか否かを示す情報とからなる。制御端末となった携帯電話１は、他の携帯電話１が保持している個人属性情報を収集し、集約属性情報を生成する役割を有する。携帯電話リストに登録されている携帯電話１のうち、無線ネットワークに最初に参加した携帯電話１が制御端末となる。図１９では、識別子「Ａ」を有する携帯電話１が制御端末となっている。端末存在情報の受信により新たに無線ネットワークに参加していると判断された携帯電話１の情報が携帯電話リストに追加され、端末存在情報を受信できなかった携帯電話１の情報が携帯電話リストから削除される。
【００６７】
制御部２０は、ステップＳ３１０で更新した携帯電話リストをリスト記憶部２２ｂから読み出し、携帯電話用通信部２１ａへ出力する。携帯電話用通信部２１ａは、携帯電話リストに登録されている携帯電話１へ携帯電話リストを送信する（ステップＳ３１５）。
【００６８】
携帯電話１の表示端末用通信部１２ａは携帯電話リストを受信し、制御部１０へ出力する。制御部１０の通信制御部１０ａは、この携帯電話リストに基づいて周囲の携帯電話１を認識する。以後、携帯電話１は、周囲の携帯電話１と直接通信を行うことが可能となる。また、通信制御部１０ａは、携帯電話リストに基づいて、制御端末になっている携帯電話１を認識する。
【００６９】
制御端末になっている携帯電話１が自端末ではなく他の携帯電話１である場合、通信制御部１０ａは、個人属性情報記憶部１３ａから個人属性情報を読み出し、携帯電話間通信部１２ｃへ出力する。携帯電話間通信部１２ｃは、制御端末となっている携帯電話１へ個人属性情報を送信する（ステップＳ３２０）。
【００７０】
一方、制御端末になっている携帯電話１において、携帯電話間通信部１２ｃは他の携帯電話１から個人属性情報を受信し、制御部１０へ出力する。制御部１０の集約属性情報生成部１０ｂは、個人属性情報記憶部１３ａから個人属性情報を読み出し、この個人属性情報と、他の携帯電話１から受信した個人属性情報とを集約し、集約属性情報を生成する（ステップＳ３２５）。集約属性情報は、個人属性情報と同様に性別と年齢からなる。続いて、通信制御部１０ａは集約属性情報を表示端末用通信部１２ａへ出力する。表示端末用通信部１２ａは表示端末２へ集約属性情報を送信する（ステップＳ３３０）。
【００７１】
表示端末２の携帯電話用通信部２１ａは、携帯電話１から送信された集約属性情報を受信し、制御部２０へ出力する。制御部２０は、表示端末２から受信した集約属性情報をサイネージサーバ用通信部２１ｂへ出力する。サイネージサーバ用通信部２１ｂはサイネージサーバ４へ集約属性情報を送信する（ステップＳ３３５）。
【００７２】
サイネージサーバ４の表示端末用通信部４１ａは、表示端末２から送信された集約属性情報を受信し、制御部４０へ出力する。制御部４０のコンテンツ選択部４０ａは、コンテンツ記憶部４２ａに記憶されているコンテンツの中から、集約属性情報が示す属性に合った個人向けのコンテンツを選択する（ステップＳ３４０）。コンテンツの選択方法は、個人属性情報によるコンテンツの選択方法（図６のステップＳ１１５）と同様である。コンテンツ選択部４０ａは、選択したコンテンツをコンテンツ記憶部４２ａから読み出し、表示端末用通信部４１ａへ出力する。表示端末用通信部４１ａはコンテンツを表示端末２へ送信する（ステップＳ３４５）。
【００７３】
表示端末２のサイネージサーバ用通信部２１ｂは、サイネージサーバ４から送信されたコンテンツを受信し、制御部２０へ出力する。制御部２０はコンテンツを表示部２３へ出力する。表示部２３は、コンテンツを画像として表示する（ステップＳ３５０）。以上の動作によって、表示端末２の周囲にある携帯電話１を所持する複数のユーザ向けのコンテンツが表示部２３に表示される。
【００７４】
以下、図２０を参照しながら、個人属性情報および集約属性情報の具体例を挙げて、ステップＳ３２５における集約属性情報の生成方法を説明する。図２０に示すように、一例として、４種類の個人属性情報を集約するものとする。各個人属性情報は性別と年齢からなる。集約属性情報生成部１０ｂは、個人属性情報を集約する際に、例えば性別については数が多い方の性別を選択し、年齢については平均化する。
【００７５】
図２０に示す例では、性別が「男」である個人属性情報のほうが、性別が「女」である個人属性情報よりも多いので、集約属性情報の性別が「男」となる。また、図２０に示す例では、個人属性情報の年齢が「２０」、「３５」、「４０」、「２５」であるので、各年齢を平均化した「３０」が集約属性情報の年齢となる。
【００７６】
なお、集約属性情報の生成方法は上記の方法に限らない。例えば、性別については、男女の一方を選択するのではなく、男女比としてもよい。また、年齢については、最も人数の多い年齢または年代を選択してもよい。また、サイネージサーバ４が配信するコンテンツを１つだけとするのではなく、人数の多い世代から順に複数のコンテンツを配信するようにしてもよい。
【００７７】
上記のように、第３の実施形態によれば、サイネージサーバ４において、集約属性情報に対応するコンテンツが選択されて表示端末２へ送信されるので、表示端末２において複数の個人向けのコンテンツを表示することができる。また、集約属性情報をコンテンツの選択に利用することによって、携帯電話１を所持するユーザの匿名性を保つことができる。
【００７８】
（第４の実施形態）
以下、本発明の第４の実施形態を説明する。第４の実施形態では、複数の個人向けのコンテンツが表示される点が第３の実施形態と同じであるが、集約属性情報と共に携帯電話１の利用履歴に対応したコンテンツが選択される点が異なる。
【００７９】
図２１は、第４の実施形態によるコンテンツ表示システムの利用形態を示している。第４の実施形態では、同一の携帯電話会社と契約している携帯電話１は同一のグループに属している。図２１では、２つのグループＡ，Ｂが存在している。同一グループ内の携帯電話１は同一の携帯電話会社と契約しているが、グループＡ内の携帯電話１が契約している携帯電話会社と、グループＢ内の携帯電話１が契約している携帯電話会社は異なる。また、各グループに対して個別に携帯電話サーバ３が設けられている。
【００８０】
図２２は携帯電話１の構成を示している。図２２に示す携帯電話１の構成と、図３に示した携帯電話１の構成とでは、制御部１０、通信部１２、および記憶部１３の構成が異なる。制御部１０は、前述した通信制御部１０ａと通信制御部１０ａと集約属性情報生成部１０ｂとを有する。通信部１２は、前述した表示端末用通信部１２ａと携帯電話サーバ用通信部１２ｂと携帯電話間通信部１２ｃとを有する。記憶部１３は、前述した個人属性情報記憶部１３ａと認証情報記憶部１３ｂとを有する。
【００８１】
なお、表示端末２の構成は、図１０に示した構成と同様であるので、説明を省略する。携帯電話サーバ３の構成は、図１１に示した構成と同様であるので、説明を省略する。サイネージサーバ４の構成は、図１２に示した構成と同様であるので、説明を省略する。
【００８２】
次に、図２３および図２４を参照しながら、複数個人向けのコンテンツを表示端末２に表示する際のコンテンツ表示システムの動作を説明する。ステップＳ４００〜Ｓ４３５の内容は、図１８に示したステップＳ３００〜Ｓ３３５の内容と同様であるので、説明を省略する。ただし、表示端末２が形成している無線ネットワークに参加している携帯電話１のリストである携帯電話リストは上記のグループ単位で管理される。このため、ステップＳ４０５で表示端末２へ送信される端末存在情報には、携帯電話１が属するグループの情報が含まれる。また、ステップＳ４２０における個人属性情報の送受信は、同一のグループに属する携帯電話１間で行われる。また、ステップＳ４３５では、集約属性情報と共に表示端末ＩＤが送信される。
【００８３】
ステップＳ４４０〜Ｓ４６０の内容は、図１３に示したステップＳ２１５〜Ｓ２３５の内容と同様であるので、説明を省略する。また、ステップＳ４６５〜Ｓ４８５の内容も、図１３に示したステップＳ２１５〜Ｓ２３５の内容と同様であるので、説明を省略する。ステップＳ４４０〜Ｓ４８５に示したように、各携帯電話１が個別に携帯電話サーバ３にアクセスする。
【００８４】
携帯電話サーバ３の携帯電話用通信部３１ａは、携帯電話１から送信された表示端末ＩＤを受信し、制御部３０へ出力する。制御部３０の情報生成部３０ｂは、利用履歴記憶部３２ａに記憶されている利用履歴から、各携帯電話１のＩＤと関連付けられている利用履歴を読み出す。さらに、情報生成部３０ｂは、利用履歴記憶部３２ａから読み出した各携帯電話１の利用履歴に基づいてコンテンツ指定情報を生成し、携帯電話１から受信した表示端末ＩＤと共にサイネージサーバ用通信部３１ｂへ出力する（ステップＳ４９０）。サイネージサーバ用通信部３１ｂはコンテンツ指定情報および表示端末ＩＤをサイネージサーバ４へ送信する（ステップＳ４９５）。
【００８５】
サイネージサーバ４の表示端末用通信部４１ａは、ステップＳ４３５で表示端末２から送信された集約属性情報を受信し、制御部４０へ出力する。また、携帯電話サーバ用通信部４１ｂは、ステップＳ４９５で携帯電話サーバ３から送信されたコンテンツ指定情報および表示端末ＩＤを受信し、制御部４０へ出力する。制御部４０のコンテンツ選択部４０ａは、ステップＳ４３５で表示端末から送信された表示端末ＩＤと、ステップＳ４９５で携帯電話サーバ３から送信された表示端末ＩＤとが一致する場合に、コンテンツ記憶部４２ａに記憶されているコンテンツの中から、ステップＳ４３５で表示端末から送信された集約属性情報が示す属性と、ステップＳ４９５で携帯電話サーバ３から送信されたコンテンツ指定情報とに合った複数の個人向けのコンテンツを選択する（ステップＳ５００）。
【００８６】
この実施形態では、集約属性情報およびコンテンツ指定情報に基づいてコンテンツが選択されるが、このときの選択方法は、個人属性情報およびコンテンツ指定情報に基づいてコンテンツを選択する方法（第２の実施形態）と同様である。また、コンテンツの選択はグループ単位で行われるが、複数のグループに関する集約属性情報およびコンテンツ指定情報に基づいて、各グループで共通に使用するコンテンツを選択してもよい。
【００８７】
ステップＳ５０５〜Ｓ５１０の内容は、図１３に示したステップＳ２５５〜Ｓ２６０の内容と同様であるので、説明を省略する。以上の動作によって、表示端末２の周囲にある携帯電話１を所持する複数のユーザ向けのコンテンツが表示部２３に表示される。
【００８８】
上記のように、第４の実施形態によれば、サイネージサーバ４において、集約属性情報に対応するコンテンツが選択されて表示端末２へ送信されるので、表示端末２において複数の個人向けのコンテンツを表示することができる。また、同一グループ内でのみ携帯電話１間の直接通信が許可される場合でも、グループ単位で複数の個人向けのコンテンツを表示することができる。
【００８９】
（第５の実施形態）
以下、本発明の第５の実施形態を説明する。第５の実施形態では、複数の個人向けのコンテンツが表示される点が第４の実施形態と同じであるが、集約属性情報が転送される経路が異なる。
【００９０】
なお、携帯電話１の構成は、図２２に示した構成と同様であるので、説明を省略する。表示端末２の構成は、図１０に示した構成と同様であるので、説明を省略する。携帯電話サーバ３の構成は、図１１に示した構成と同様であるので、説明を省略する。サイネージサーバ４の構成は、図１２に示した構成と同様であるので、説明を省略する。
【００９１】
次に、図２５および図２６を参照しながら、複数個人向けのコンテンツを表示端末２に表示する際のコンテンツ表示システムの動作を説明する。第４の実施形態では、携帯電話１で生成された集約属性情報が表示端末２を経由してサイネージサーバ４へ送信されるが、後述するように第５の実施形態では、携帯電話１で生成された集約属性情報が携帯電話サーバ３へ送信される。ステップＳ６００〜Ｓ６２５の内容は、図２３に示したステップＳ４００〜Ｓ４２５の内容と同様であるので、説明を省略する。
【００９２】
ステップＳ６３０〜Ｓ６５０の内容は、図１３に示したステップＳ２１５〜Ｓ２３５の内容と同様であるので、説明を省略する。また、ステップＳ６５５〜Ｓ６７５の内容も、図１３に示したステップＳ２１５〜Ｓ２３５の内容と同様であるので、説明を省略する。ただし、ステップＳ６５０では、前述した制御端末になっている携帯電話１から表示端末ＩＤと共に集約属性情報が携帯電話サーバ３へ送信される。これに対して、制御端末になっていない携帯電話１からは表示端末ＩＤが携帯電話サーバ３へ送信される（ステップＳ６７５）。
【００９３】
携帯電話サーバ３の携帯電話用通信部３１ａは、携帯電話１から送信された表示端末ＩＤおよび集約属性情報を受信し、制御部３０へ出力する。制御部３０の情報生成部３０ｂは、利用履歴記憶部３２ａに記憶されている利用履歴から、各携帯電話１のＩＤと関連付けられている利用履歴を読み出す。さらに、情報生成部３０ｂは、利用履歴記憶部３２ａから読み出した各携帯電話１の利用履歴に基づいてコンテンツ指定情報を生成し、携帯電話１から受信した表示端末ＩＤと共にサイネージサーバ用通信部３１ｂへ出力する（ステップＳ６８０）。
【００９４】
以下、ステップＳ６８０における具体的なコンテンツ指定情報の生成方法を説明する。携帯電話サーバ３が保持している、１台の携帯電話１についての個人利用履歴の一例は、図１４に示した通りである。情報生成部３０ｂは、各携帯電話１の利用履歴を参照し、例えば最も利用頻度の高いコンテンツの種類を選択する。情報生成部３０ｂは、選択したコンテンツの種類を示す情報をコンテンツ指定情報とする。
【００９５】
ステップＳ６８０に続いて、サイネージサーバ用通信部３１ｂは、コンテンツ指定情報、表示端末ＩＤ、および集約属性情報をサイネージサーバ４へ送信する（ステップＳ６８５）。携帯電話サーバ用通信部４１ｂは、携帯電話サーバ３から送信されたコンテンツ指定情報、表示端末ＩＤ、および集約属性情報を受信し、制御部４０へ出力する。制御部４０のコンテンツ選択部４０ａは、コンテンツ記憶部４２ａに記憶されているコンテンツの中から、集約属性情報が示す属性およびコンテンツ指定情報に合った複数の個人向けのコンテンツを選択する（ステップＳ６９０）。
【００９６】
ステップＳ６９５〜Ｓ７００の内容は、図１３に示したステップＳ２５５〜Ｓ２６０の内容と同様であるので、説明を省略する。以上の動作によって、表示端末２の周囲にある携帯電話１を所持する複数のユーザ向けのコンテンツが表示部２３に表示される。
【００９７】
次に、本実施形態の変形例を説明する。図２７は、図２６を変形したものである。図２６のステップＳ６８０が図２７のステップＳ６８１となり、図２６のステップＳ６８５が図２７のステップＳ６８６となっている。
【００９８】
ステップＳ６８１では、携帯電話サーバ３の情報生成部３０ｂは、利用履歴記憶部３２ａに記憶されている利用履歴から、各携帯電話１のＩＤと関連付けられている利用履歴を読み出す。さらに、情報生成部３０ｂは、利用履歴記憶部３２ａから読み出した各携帯電話１の利用履歴と、ステップＳ６５０で携帯電話１から受信した集約属性情報とに基づいてコンテンツ指定情報を生成し、携帯電話１から受信した表示端末ＩＤと共にサイネージサーバ用通信部３１ｂへ出力する。
【００９９】
以下、ステップＳ６８１における具体的なコンテンツ指定情報の生成方法を説明する。携帯電話サーバ３が保持している、１台の携帯電話１についての個人利用履歴の一例は、図１４に示した通りである。情報生成部３０ｂは、各携帯電話１の利用履歴を参照し、例えば最も利用頻度の高いコンテンツの種類を選択する。
【０１００】
携帯電話サーバ３の記憶部３２には、図１５に示したコンテンツの情報が格納されている。情報生成部３０ｂは、集約属性情報が示す性別および年齢と、上記のようにして選択したコンテンツの種類とに一致するコンテンツを選択する。例えば、集約属性情報が示す性別が「男」、年齢が「１８」であり、選択したコンテンツの種類が「３」である場合、図１５に示す「コンテンツ３」が選択される。この「コンテンツ３」を指定する情報がコンテンツ指定情報となる。
【０１０１】
ステップＳ６８６では、サイネージサーバ用通信部３１ｂはコンテンツ指定情報および表示端末ＩＤをサイネージサーバ４へ送信する。このコンテンツ指定情報が示すコンテンツがサイネージサーバ４によって選択される。
【０１０２】
上記のように、第５の実施形態によれば、サイネージサーバ４において、集約属性情報に対応するコンテンツが選択されて表示端末２へ送信されるので、表示端末２において複数の個人向けのコンテンツを表示することができる。また、同一グループ内でのみ携帯電話１間の直接通信が許可される場合でも、グループ単位で複数の個人向けのコンテンツを表示することができる。
【０１０３】
上記の第１〜第５の実施形態によれば、表示端末において一人または複数の個人向けのコンテンツを表示することができる。特に、複数の個人に共通する属性に対応するコンテンツを表示することによって、広告等を効果的に行うことができる。また、携帯電話１からサイネージサーバ４へ転送されるのは、個人を特定するわけではない属性情報であるため、この属性情報の通信に関しては強固なセキュリティを必要としない。さらに、サイネージサーバ４では属性毎にコンテンツが管理されるため、第１〜第５の実施形態によるコンテンツの提供サービスを受けるユーザの数が膨大になった場合でも、サイネージサーバ４におけるコンテンツの管理負荷は属性の数に応じた分に抑えられる。
【０１０４】
また、大型あるいは中型の画面を備える表示端末を公共の車両や各種施設等に設置し、上記の第１〜第５の実施形態を適用することで、公共の場に設置された画面を個人向け情報の提供のために使用することができる。個人向け情報を提供する用途としては、例えば広告が挙げられるが、災害時等に避難に関する情報を提供する用途であってもよい。
【０１０５】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０１０６】
１・・・携帯電話、２・・・表示端末、３・・・携帯電話サーバ、４・・・サイネージサーバ、１０，２０，３０，４０・・・制御部、１１・・・操作部、１２，２１，３１，４１・・・通信部、１３，２２，３２，４２・・・記憶部、１４，２３・・・表示部、１０ａ・・・通信制御部、１０ｂ・・・集約属性情報生成部、１２ａ，４１ａ・・・表示端末用通信部、１２ｂ，４１ｂ・・・携帯電話サーバ用通信部、１２ｃ・・・携帯電話間通信部、１３ａ・・・個人属性情報記憶部、１３ｂ，３２ｂ・・・認証情報記憶部、２１ａ，３１ａ・・・携帯電話用通信部、２１ｂ，３１ｂ・・・サイネージサーバ用通信部、２２ａ・・・ＩＤ記憶部、２２ｂ・・・リスト記憶部、３０ａ・・・認証部、３０ｂ・・・情報生成部、３２ａ・・・利用履歴記憶部、４０ａ・・・コンテンツ選択部、４２ａ・・・コンテンツ記憶部、４２ｂ・・・表示端末情報記憶部
【図１】
2011053767.tif 000003
【図２】
2011053767.tif 000004
【図３】
2011053767.tif 000005
【図４】
2011053767.tif 000006
【図５】
2011053767.tif 000007
【図６】
2011053767.tif 000008
【図７】
2011053767.tif 000009
【図８】
2011053767.tif 000010
【図９】
2011053767.tif 000011
【図１０】
2011053767.tif 000012
【図１１】
2011053767.tif 000013
【図１２】
2011053767.tif 000014
【図１３】
2011053767.tif 000015
【図１４】
2011053767.tif 000016
【図１５】
2011053767.tif 000017
【図１６】
2011053767.tif 000018
【図１７】
2011053767.tif 000019
【図１８】
2011053767.tif 000020
【図１９】
2011053767.tif 000021
【図２０】
2011053767.tif 000022
【図２１】
2011053767.tif 000023
【図２２】
2011053767.tif 000024
【図２３】
2011053767.tif 000025
【図２４】
2011053767.tif 000026
【図２５】
2011053767.tif 000027
【図２６】
2011053767.tif 000028
【図２７】
2011053767.tif 000029